(57)【要約】      （修正有）【課題】その両端には、弾性を有する、凸条と、曲がり刃部と、がそれぞれ設けられており、歯肉の保健を促進することが可能な爪楊枝を提供する。【解決手段】握りロッド３１を含み、握りロッド３１の周面に環状溝３１１が複数設けられており、握りロッド３１の前端に弾性を有する突起３３１が設けられており、握りロッド３１の後端に曲がり刃部３２が設けられている爪楊枝において、曲がり刃部３２は、一定角度に曲がっており、扁平状を呈し、握りロッド３１の前端は縮径して小径ロッドとなり、小径ロッドの周面には、弾性を有する突起３３１が複数設けられている。【選択図】図３
0003188430.tif 000002
【実用新案登録請求の範囲】
【請求項１】
握りロッドを含み、前記握りロッドの周面に環状溝が複数設けられており、前記握りロッドの前端に弾性を有する突起が設けられており、前記握りロッドの後端に曲がり刃部が設けられている爪楊枝において、
前記曲がり刃部は、一定角度に曲がっており、扁平状を呈し、前記握りロッドの前端は縮径して小径ロッドとなり、前記小径ロッドの周面には、弾性を有する前記突起が複数設けられていることを特徴とする爪楊枝。
【請求項２】
前記複数の突起は、その直径が外側から前記握りロッドの軸心へ拡径するため、それぞれ円錐状を呈し、距離を置いて前記小径ロッドに配列されていることを特徴とする、請求項１に記載の爪楊枝。
【考案の詳細な説明】
【技術分野】
【０００１】
本考案は、爪楊枝に関し、特に、その両端には、弾性を有する、突起と、曲がり刃部と、がそれぞれ設けられており、歯肉の保健を促進することが可能な爪楊枝に関するものである。
【背景技術】
【０００２】
爪楊枝は、日常生活に不可欠な清潔保健用品である。従来の爪楊枝１は、図１に示すように、竹材や木材で作製され、握り部１１を含み、握り部１１の両端に鋭い先端部１２がそれぞれ形成されている。歯同士の間の隙間に先端部１２を挿入することにより、食べ物の屑を除去することが可能である。しかし、爪楊枝１の強度が弱いため、断裂しやすい。断裂した爪楊枝１は、歯肉や口腔を傷付ける可能性がある。図２に示すように、樹脂で作製される爪楊枝２もある。爪楊枝２は、握り部２１を有し、握り部２１の前端に軟性樹脂条２２が複数設けられており、握り部２１の末端に鋭い先端部２３が形成されている。爪楊枝２は、竹材や木材で作製される爪楊枝１が断裂しやすい問題を解決することが可能であるが、軟性樹脂条２２の長さが同じであるため、爪楊枝２をよく利用すると、ユーザの歯同士の間の隙間を増加する虞がある。そして爪楊枝２全体の形状がロッド状を呈するため、爪楊枝２によって食べ物の屑を除去することが容易であるとは言えない。
【考案の概要】
【考案が解決しようとする課題】
【０００３】
本考案の主な目的は、その両端には、弾性を有する、突起と、曲がり刃部と、がそれぞれ設けられており、歯肉の保健を促進することが可能な爪楊枝を提供することにある。
【課題を解決するための手段】
【０００４】
本考案の爪楊枝によると、握りロッドを含み、握りロッドの周面に環状溝が複数設けられており、握りロッドの前端に弾性を有する突起が設けられており、握りロッドの後端に曲がり刃部が設けられている爪楊枝において、曲がり刃部は、一定角度に曲がっており、扁平状を呈し、握りロッドの前端は縮径して小径ロッドとなり、小径ロッドの周面には、弾性を有する突起が複数設けられていることを特徴とする。
【０００５】
本考案の爪楊枝によると、複数の突起は、その直径が外側から握りロッドの軸心へ拡径するため、それぞれ円錐状を呈し、距離を置いて小径ロッドに配列されていることを特徴とする。
【考案の効果】
【０００６】
本考案の爪楊枝によれば、次のような効果がある。
（１）爪楊枝の両端には、弾性を有する、突起と、曲がり刃部と、がそれぞれ設けられている。歯同士の間の隙間に、握りロッドの前端に設けられている突起を徐々に挿入することにより、食べ物の屑を容易に除去することが可能であり、且つ歯肉を按摩することも可能であるため、歯肉の保健を促進することが可能である。
【０００７】
（２）爪楊枝の末端に設けられている曲がり刃部によって食べ物の屑を除去するときには、曲がり刃部が曲がっているため、食べ物の屑を除去する動作をスムーズに行うことが可能である。
【０００８】
（３）握りロッドの周面に環状溝が複数設けられているため、環状溝により、歯同士の間に挟まれている食べ物の屑を除去しているときには、ユーザの手から爪楊枝が容易に離脱することができない。
【図面の簡単な説明】
【０００９】
【図１】従来の爪楊枝を示す斜視図である。
【図２】従来の別の爪楊枝を示す斜視図である。
【図３】本考案の一実施例を示す斜視図である。
【図４】本考案の一実施例の使用状態を示す模式図１である。
【図５】本考案の一実施例の使用状態を示す模式図２である。
【図６】本考案の一実施例を示す正面図である。
【考案を実施するための最良の形態】
【００１０】
以下、本考案の実施の形態を図面に基づいて説明する。
図３を参照する。図３は本考案の一実施例を示す斜視図である。爪楊枝３は、ロッド状を呈する握りロッド３１を含む。握りロッド３１の周面に環状溝３１１が複数設けられている。握りロッド３１の後端に曲がり刃部３２が設けられている。曲がり刃部３２は、一定角度に曲がっており、扁平状を呈する。握りロッド３１の前端に小径ロッド３３が形成されている。小径ロッド３３には、弾性を有する突起３３１が複数設けられている。複数の突起３３１は、その直径が外側から握りロッド３１の軸心へ拡径するため、それぞれ円錐状を呈し、距離を置いて小径ロッド３３に配列されている。
【００１１】
図４を参照する。図４は本考案の一実施例の使用状態を示す模式図１である。ユーザの歯同士の間の隙間に本実施例の爪楊枝３を挿入しているときには、小径ロッド３３に設けられている突起３３が歯同士の間の隙間に徐々に挿入され、爪楊枝３を前後に移動することにより、突起３３は、食べ物の屑を容易に除去することが可能であり、且つ歯肉を按摩することも可能である。このように、歯肉の保健を促進することが可能である。
【００１２】
図５を参照する。図５は本考案の一実施例の使用状態を示す模式図２である。爪楊枝３の末端には、一定角度に曲がっており扁平状を呈する曲がり刃部３２が設けられている。曲がり刃部３２によって食べ物の屑を除去するときには、曲がり刃部３２が曲がっているため、食べ物の屑を除去する動作をスムーズに行うことが可能である。このように、口腔の衛生を促進することが可能であり、歯周病の発生確率を減少することも可能である。
【００１３】
図６を参照する。図６は本考案の一実施例を示す正面図である。爪楊枝３の握りロッド３１の周面に環状溝３１１が複数設けられている。環状溝３１１により、食べ物の屑を除去しているときには、ユーザの手から爪楊枝３が容易に離脱することができない。もちろん、本考案はこれらに限定されない。握りロッド３１の周面に、凹凸、条状な突起、又は皺などを設けてもよい。何れも上記と同様な効果を達成することが可能である。
【産業上の利用可能性】
【００１４】
本考案は、爪楊枝に適用することができる。
【符号の説明】
【００１５】
１  爪楊枝
２  爪楊枝
３  爪楊枝
１１  握り部
１２  先端部
２１  握り部
２２  軟性樹脂条
２３  先端部
３１  握りロッド
３２  曲がり刃部
３３  小径ロッド
３１１  環状溝
３３１  突起
【図１】
0003188430.tif 000003
【図２】
0003188430.tif 000004
【図３】
0003188430.tif 000005
【図４】
0003188430.tif 000006
【図５】
0003188430.tif 000007
【図６】
0003188430.tif 000008